(57)【要約】【課題】柔軟に無線アクセス網から時刻情報を取得する。【解決手段】無線通信装置１は、無線通信部１ａと制御部１ｂとを有する。無線通信部１ａは、接続可能な無線アクセス網をサーチし、少なくとも１つの無線アクセス網に接続して、接続した無線アクセス網の報知情報を受信する。制御部１ｂは、サーチにより検出された無線アクセス網２に無線通信部１ａを接続させ、報知情報２ａに時刻情報が含まれているか確認し、時刻情報が含まれていない場合、サーチにより検出された無線アクセス網３に無線通信部１ａを接続させる。【選択図】図１
2010268327.tif 000002
【特許請求の範囲】
【請求項１】
接続可能な無線アクセス網をサーチし、少なくとも１つの無線アクセス網に接続して、接続した無線アクセス網の報知情報を受信する無線通信部と、
サーチにより検出された第１の無線アクセス網に前記無線通信部を接続させ、前記報知情報に時刻情報が含まれているか確認し、時刻情報が含まれていない場合、サーチにより検出された第２の無線アクセス網に前記無線通信部を接続させる制御部と、
を有することを特徴とする無線通信装置。
【請求項２】
接続した無線アクセス網の通信方式と前記報知情報に時刻情報が含まれているかの確認結果とを対応付けた情報を記憶する記憶部を更に有し、
前記制御部は、前記記憶部に記憶された情報に基づいて、時刻情報が含まれている可能性の高い通信方式の無線アクセス網を前記第１の無線アクセス網として選択する、
ことを特徴とする請求項１記載の無線通信装置。
【請求項３】
前記報知情報は、無線アクセス網の設置されたエリアを示す識別情報を含んでおり、
前記記憶部は、エリア毎に前記通信方式と前記確認結果とを対応付けた情報を記憶し、
前記制御部は、前記記憶部に記憶された現在のエリアに対応する情報に基づいて、前記第１の無線アクセス網の選択を行う、
ことを特徴とする請求項２記載の無線通信装置。
【請求項４】
前記制御部は、サーチにより検出された各無線アクセス網の通信品質に応じて、前記第１の無線アクセス網を選択することを特徴とする請求項１記載の無線通信装置。
【請求項５】
前記制御部は、サーチにより検出された全ての無線アクセス網について前記報知情報に時刻情報が含まれていないことを確認すると、ユーザに時刻の入力を要求することを特徴とする請求項１記載の無線通信装置。
【請求項６】
前記無線通信部は、前記第１の無線アクセス網とのコネクションを切断してから、前記第２の無線アクセス網に接続することを特徴とする請求項１記載の無線通信装置。
【請求項７】
接続可能な無線アクセス網をサーチし、
サーチにより検出された第１の無線アクセス網に接続して、前記第１の無線アクセス網の報知情報を受信し、
受信した前記報知情報に時刻情報が含まれているか確認し、時刻情報が含まれていない場合、サーチにより検出された第２の無線アクセス網に接続する、
ことを特徴とする無線通信方法。
【発明の詳細な説明】
【技術分野】
【０００１】
本件は無線通信装置および無線通信方法に関する。
【背景技術】
【０００２】
現在、携帯電話システムや無線ＬＡＮ（Local Area Network）などの無線通信システムが広く利用されている。携帯電話機など無線通信サービスを利用する無線通信装置は、例えば電源投入時に、周辺の無線アクセス網をサーチする。そして、サーチにより検出された無線アクセス網に接続して、音声通話やデータ通信を行う。
【０００３】
このような無線通信装置の多くには、内部時計が搭載されている。内部時計が示す時刻は、様々な用途に使用され得る。例えば、無線通信装置が備えるディスプレイに現在時刻を表示するために用いられる。また、デジタル著作権管理（ＤＲＭ：Digital Rights Management）に用いられることもある。すなわち、データ通信で取得した音声データや画像データを再生する際、現在時刻を参照して、再生権原の有無を確認することがある。
【０００４】
従って、内部時計が示す時刻は正確であることが好ましい。一方、無線通信装置の使用状況によって、内部時計の時刻と実際の時刻との間にずれが生じることもある。例えば、内部時計の精度が低い場合、徐々に時刻のずれが拡大する。また、ユーザが無線通信装置を持って長距離を移動した場合、時差の影響で、内部時計の時刻と移動先の現地時刻とがずれることもある。
【０００５】
この問題に対し、無線通信装置が、無線アクセス網から時刻情報を取得して、内部時計の時刻を補正する方法が考えられる。例えば、携帯端末が基地局に時刻情報の送信を要求し、基地局が携帯端末からの要求に応じて時刻情報を送信するシステムがある（例えば、特許文献１参照）。また、時刻情報を報知しないＡＭＰＣ（Advanced Mobil Phone Service）システムと報知するＣＤＭＡ（Code Division Multiple Access）システムとが併存する地域で、携帯電話端末装置がまずＣＤＭＡシステムを補足して時刻情報を受信し、その後、接続先をＡＭＰＣシステムに切替えるものがある（例えば、特許文献２（段落［００３１］，［００３８］）参照）。
【先行技術文献】
【特許文献】
【０００６】
【特許文献１】特開２００２−１５６４７８号公報
【特許文献２】特開平１１−１３６７５５号公報
【発明の概要】
【発明が解決しようとする課題】
【０００７】
前述のように、無線アクセス網には、時刻情報を提供するものと提供しないものとが存在する。従って、特許文献１に記載の技術では、時刻情報を提供しない無線アクセス網を利用する場合に、時刻補正ができないという問題がある。
【０００８】
更に、通信方式が同じ無線アクセス網でも、時刻情報を提供するものと提供しないものとが混在し得る。例えば、Ｗ−ＣＤＭＡ（Wideband CDMA）では、時刻情報を提供するシステムと提供しないシステムとが混在している。従って、特許文献２に記載の技術でも、時刻補正が失敗する場合がある。
【０００９】
本件はこのような点に鑑みてなされたものであり、柔軟に無線アクセス網から時刻情報を取得できる無線通信装置および無線通信方法を提供することを目的とする。
【課題を解決するための手段】
【００１０】
上記課題を解決するために、無線通信装置が提供される。この無線通信装置は、無線通信部と制御部とを有する。無線通信部は、接続可能な無線アクセス網をサーチし、少なくとも１つの無線アクセス網に接続して、接続した無線アクセス網の報知情報を受信する。制御部は、サーチにより検出された第１の無線アクセス網に無線通信部を接続させ、報知情報に時刻情報が含まれているか確認し、時刻情報が含まれていない場合、サーチにより検出された第２の無線アクセス網に無線通信部を接続させる。
【００１１】
また、上記課題を解決するために、無線通信方法が提供される。この無線通信方法では、接続可能な無線アクセス網をサーチする。サーチにより検出された第１の無線アクセス網に接続して、第１の無線アクセス網の報知情報を受信する。受信した報知情報に時刻情報が含まれているか確認し、時刻情報が含まれていない場合、サーチにより検出された第２の無線アクセス網に接続する。
【発明の効果】
【００１２】
上記無線通信装置および無線通信方法によれば、柔軟に無線アクセス網から時刻情報を取得できる。
【図面の簡単な説明】
【００１３】
【図１】無線通信装置の例を示す図である。
【図２】移動通信システムの全体構成を示す図である。
【図３】移動局を示すブロック図である。
【図４】無線通信部の詳細を示すブロック図である。
【図５】報知情報のデータ構造例を示す図である。
【図６】ネットワーク情報テーブルのデータ構造例を示す図である。
【図７】設定画面の例を示す図である。
【図８】時刻補正の手順を示すフローチャートである。
【図９】接続先候補選択の手順を示すフローチャートである。
【図１０】報知情報受信の手順を示すシーケンス図である。
【図１１】ネットワーク切替の例を示すシーケンス図である。
【図１２】待ち受け画面の遷移例を示す図である。
【発明を実施するための形態】
【００１４】
以下、本実施の形態を図面を参照して詳細に説明する。
図１は、無線通信装置の例を示す図である。無線通信装置１は、無線アクセス網２，３に接続可能な通信装置であり、例えば携帯電話機などの移動局である。無線アクセス網２は、報知情報２ａを報知している。無線アクセス網３は、報知情報３ａを報知している。報知情報２ａ，３ａには、時刻情報が含まれている可能性がある。無線通信装置１は、無線通信部１ａと制御部１ｂとを有する。
【００１５】
無線通信部１ａは、無線信号の受信状況に基づき、接続可能な無線アクセス網をサーチする。サーチは、例えば、無線通信装置１の電源投入時に実行される。その後、継続的に実行してもよい。ここでは、サーチにより無線アクセス網２，３が検出される。また、無線通信部１ａは、制御部１ｂの制御に基づき、無線アクセス網２，３への接続および切断を行う。無線通信部１ａは、無線アクセス網２に接続中は、報知情報２ａを受信可能である。同様に、無線アクセス網３に接続中は、報知情報３ａを受信可能である。
【００１６】
制御部１ｂは、時刻情報を取得できたか否かを考慮して、無線通信部１ａの接続および切断の処理を制御する。例えば、制御部１ｂは、まず無線アクセス網２を接続先（第１の無線アクセス網）として選択する。そして、無線通信部１ａで受信した報知情報２ａに時刻情報が含まれているか確認する。時刻情報が含まれていない場合、制御部１ｂは、無線アクセス網３を次の接続先（第２の無線アクセス網）として選択する。そして、無線通信部１ａで受信した報知情報３ａに時刻情報が含まれているか確認する。
【００１７】
このようにして、検出された無線アクセス網２，３の少なくとも１つで時刻情報を含む報知情報が提供されている場合、制御部１ｂは、時刻情報を取得できる。時刻情報は、例えば、無線通信装置１が備える内部時計の時刻を補正するために使用される。時刻情報を取得した後は、音声通話やデータ通信に利用する無線アクセス網に接続を切替えてよい。一方、無線アクセス網２，３の何れでも時刻情報を含む報知情報が提供されていない場合は、ユーザに現在時刻を入力させることが考えられる。また、時刻情報の取得に成功するまで、無線アクセス網のサーチおよび時刻情報の有無の確認を継続してもよい。
【００１８】
ここで、無線アクセス網２と無線アクセス網３とは、通信方式が同一でもよいし異なっていてもよい。通信方式としては、例えば、ＧＳＭ（Global System for Mobile communications）、ＧＰＲＳ（General Packet Radio Service）、ＰＤＣ（Personal Digital Cellular）、Ｗ−ＣＤＭＡ、ＣＤＭＡ２０００などが考えられる。無線通信部１ａは、複数の通信方式に対応するため、複数の無線信号処理の回路を含んでいてもよい。また、無線通信部１ａは、無線アクセス網２に接続した後に無線アクセス網３に接続する場合、無線アクセス網２とのコネクションを維持してもよいし切断してもよい。
【００１９】
また、制御部１ｂは、サーチにより検出された複数の無線アクセス網２，３のうち何れの無線アクセス網に（第１の無線アクセス網として）優先的に接続するかを選択することができる。例えば、制御部１ｂは、過去の時刻情報の取得結果から、時刻情報を取得できる可能性の高い通信方式を学習し、取得可能性の高い通信方式の無線アクセス網を選択する方法が考えられる。取得可能性の学習は、エリア（例えば、国）毎に行ってもよい。
【００２０】
また、無線アクセス網２，３が報知する時刻情報は、無線通信装置１が現在時刻を知るための情報であればよい。従って、無線アクセス網２，３が設置されたエリアの現地時刻を示す情報でもよいし、世界標準時を示す情報でもよい。また、無線通信装置１が知ることができる他の時刻との差分を示す情報でもよい。
【００２１】
このような無線通信装置１によれば、無線通信部１ａは、接続可能な無線アクセス網をサーチする。制御部１ｂは、サーチにより検出された無線アクセス網２に接続するよう無線通信部１ａを制御する。無線通信部１ａは、無線アクセス網２の報知情報２ａを受信する。制御部１ｂは、報知情報２ａに時刻情報が含まれているか確認し、時刻情報が含まれていない場合、サーチにより検出された無線アクセス網３に接続するよう無線通信部１ａを制御する。無線通信部１ａは、無線アクセス網３の報知情報３ａを受信する。
【００２２】
これにより、無線通信装置１は、柔軟に無線アクセス網２，３から時刻情報を取得できる。すなわち、何れの無線アクセス網で時刻情報が報知されているか予め知らなくても、サーチにより検出された無線アクセス網２，３の少なくとも１つで時刻情報が報知されていれば、時刻情報を取得できる。その結果、例えば、無線通信装置１の内部時計の時刻を自動的に補正することができる。また、時刻情報を取得できる可能性の高い通信方式を学習することで、時刻情報の取得に要する時間を短縮することができる。特に、国毎に学習を行うことで、各国の無線アクセス網の特徴を考慮した適切な判断ができる。
【００２３】
以下、上記の無線通信装置１の無線通信方法を、移動通信システムの移動局に適用した例について、更に詳細に説明する。ただし、上記の無線通信方法は、移動局以外の種々の無線通信装置に適用することが可能である。また、以下では、ＧＳＭとＷ−ＣＤＭＡとに対応した移動局（いわゆる、デュアルモードの移動端末装置）を考える。
【００２４】
図２は、移動通信システムの全体構成を示す図である。この移動通信システムは、無線アクセスネットワーク２０，３０、コアネットワーク４０、移動局１００、無線基地局２００，３００および接続管理サーバ４００を有する。無線アクセスネットワーク２０，３０は、それぞれコアネットワーク４０と接続されている。
【００２５】
無線アクセスネットワーク２０は、移動局１００に対して無線接続サービスを提供するネットワークである。無線アクセスネットワーク２０は、無線通信方式として、いわゆる第２世代（２Ｇ）携帯電話方式であるＧＳＭを採用している。すなわち、多元接続方式として、ＴＤＭＡを採用している。無線アクセスネットワーク２０は、無線基地局２００を含む複数の無線基地局を備える。
【００２６】
無線アクセスネットワーク３０は、移動局１００に対して無線接続サービスを提供するネットワークである。無線アクセスネットワーク３０は、無線通信方式として、いわゆる第３世代（３Ｇ）携帯電話方式であるＷ−ＣＤＭＡを採用している。すなわち、多元接続方式として、ＣＤＭＡを採用している。無線アクセスネットワーク３０は、無線基地局３００を含む複数の無線基地局を備える。
【００２７】
コアネットワーク４０は、トラヒックを制御し、移動局１００が送受信するユーザデータを中継する有線ネットワークである。コアネットワーク４０は、例えば、回線交換呼を処理する回線交換機やパケット交換呼を処理するパケット交換機（図示せず）を備える。また、コアネットワーク４０は、接続管理サーバ４００を備える。
【００２８】
移動局１００は、ＴＤＭＡ方式およびＣＤＭＡ方式で無線通信が可能な無線端末装置である。すなわち、ＴＤＭＡ方式に従い無線アクセスネットワーク２０に接続可能であり、ＣＤＭＡ方式に従い無線アクセスネットワーク３０に接続可能である。また、移動局１００は、内部時計を備えており、現在時刻を管理している。なお、以下では、移動局１００が何れか１つの無線アクセスネットワークを選択して接続する場合を考える。ただし、移動局１００が複数の無線アクセスネットワークに同時に接続できるようにしてもよい。
【００２９】
無線基地局２００は、ＴＤＭＡ方式で無線通信を行う無線通信装置である。無線基地局２００は、移動局１００と無線リンクを設定し、移動局１００とコアネットワーク４０との間でユーザデータを中継する。また、無線基地局２００は、自局のセル内に報知情報を報知している。
【００３０】
無線基地局３００は、ＣＤＭＡ方式で無線通信を行う無線通信装置である。無線基地局３００は、移動局１００と無線リンクを設定し、移動局１００とコアネットワーク４０との間でユーザデータを中継する。また、無線基地局３００は、自局のセル内に報知情報を報知している。
【００３１】
ここで、無線アクセスネットワーク２０に属する無線基地局（無線基地局２００を含む）が報知する報知情報には、時刻情報が含まれている。無線アクセスネットワーク３０に属する無線基地局（無線基地局３００を含む）が報知する報知情報には、時刻情報が含まれていない。ただし、時刻情報の有無は、通信方式（ＧＳＭまたはＷ−ＣＤＭＡ）に応じて一意に決まるものではないとする。
【００３２】
接続管理サーバ４００は、移動局１００に対するコネクションの設定および切断を制御する。接続管理サーバ４００は、移動局１００が無線アクセスネットワーク２０，３０に接続する際、移動局１００を認証し、認証に成功すると移動局１００の現在位置を登録する。また、移動局１００が無線アクセスネットワーク２０，３０とのコネクションを切断する際、移動局１００の登録を削除する。
【００３３】
なお、移動局１００が更に他の無線通信方式の無線アクセスネットワークに接続できるようにしてもよい。例えば、移動局１００がＯＦＤＭＡ（Orthogonal Frequency Division Multiple Access）方式で無線通信を行えるようにすることが考えられる。また、無線アクセスネットワーク２０，３０およびコアネットワーク４０は、同一の通信事業者が管理するものでもよいし、それぞれ異なる通信事業者が管理するものでもよい。
【００３４】
図３は、移動局を示すブロック図である。移動局１００は、制御部１１０、無線通信部１２０，１３０、時計部１４０、記憶部１５０、表示部１６０および入力部１７０を有する。なお、無線通信部１２０，１３０は図１の無線通信部１ａに相当し、制御部１１０は図１の制御部１ｂに相当する。
【００３５】
制御部１１０は、通信制御や入出力制御など、移動局１００の動作に関する各種制御を実行する。例えば、制御部１１０は、接続可能な無線アクセスネットワークを無線通信部１２０，１３０にサーチさせ、サーチ結果に基づいて接続先を選択する。また、入力部１７０からの入力に応じて、時計部１４０が管理する時刻や記憶部１５０に記憶されたデータを表示部１６０に表示する。また、時計部１４０が管理する時刻を、無線通信部１２０，１３０で受信した時刻情報や入力部１７０からの入力に基づいて補正する。
【００３６】
なお、制御部１１０は、ＣＰＵ（Central Processing Unit）およびＲＡＭ（Random Access Memory）を用いて実現できる。ＣＰＵは、通信制御や入出力制御のプログラムを実行する。ＲＡＭは、ＣＰＵで実行されるプログラムや処理に用いるデータの少なくとも一部を一時的に記憶する。ただし、ＲＡＭに代えて他の種類のメモリを用いてもよい。
【００３７】
無線通信部１２０，１３０は、制御部１１０の制御に基づき、接続可能な無線アクセスネットワークをサーチし、接続を確立して無線通信を行う。無線通信部１２０は、アンテナ１２１を用いて、ＧＳＭ方式の無線アクセスネットワーク２０に接続できる。無線通信部１３０は、アンテナ１３１を用いて、Ｗ−ＣＤＭＡ方式の無線アクセスネットワーク３０に接続できる。ただし、無線通信部１２０と無線通信部１３０とで、共通のアンテナを使用するようにしてもよい。無線通信部１２０，１３０は、受信したユーザデータや報知情報を制御部１１０に出力する。
【００３８】
時計部１４０は、時刻を管理する。時計部１４０は、移動局１００の起動後に制御部１１０から現在時刻を示す情報を取得すると、内部時計を設定して、時刻のカウントを開始する。その後、制御部１１０から時刻補正の指示があると、内部時計を補正する。また、制御部１１０からの要求に応じて、時刻を制御部１１０に報告する。
【００３９】
記憶部１５０は、制御部１１０が用いるプログラムやデータを記憶する不揮発性メモリである。例えば、記憶部１５０には、通信制御や入出力制御のプログラムが格納される。また、音楽データや画像データなどのコンテンツデータが格納される。コンテンツデータには、デジタル著作権管理による利用制限が施されているものがある。利用制限のあるコンテンツデータを再生する場合、権原の有無を確認するために、現在時刻が参照される。また、記憶部１５０には、時刻情報の取得可否の結果を示す情報も格納される。
【００４０】
表示部１６０は、制御部１１０の制御に基づき、各種画像を表示する。表示部１６０としては、例えば、液晶ディスプレイや有機ＥＬ（Electro Luminescence）ディスプレイを用いることができる。表示部１６０に表示する画像の内容としては、操作画面、テキスト文書、静止画像コンテンツ、動画像コンテンツなどが考えられる。
【００４１】
入力部１７０は、ユーザの入力操作を受け付け、入力操作の内容を制御部１１０に通知する。入力部１７０としては、例えば、キーパッドを用いることができる。キーパッドには、テンキー、十字キー、機能キーなどの各種キーが設けられる。その場合、入力部１７０は、ユーザによって押下されたキーを示す信号を制御部１１０に出力する。ユーザは、入力部１７０を用いて、通信動作の設定や時刻設定などの各種設定を行うことができる。
【００４２】
図４は、無線通信部の詳細を示すブロック図である。無線通信部１３０は、ＲＦ部１３２、セルサーチ部１３３、逆拡散復調部１３４、復号部１３５、符号化部１３６および拡散変調部１３７を有する。
【００４３】
ＲＦ部１３２は、無線信号処理を行う。ＲＦ部１３２は、アンテナ１３１で受信した無線信号をベースバンド信号に変換し、セルサーチ部１３３および逆拡散復調部１３４に出力する。また、拡散変調部１３７から取得したベースバンド信号を無線信号に変換し、アンテナ１３１に出力する。ＲＦ部１３２は、無線信号処理のため、例えば、増幅器、周波数変換器、帯域通過フィルタ、ＡＤ変換器、ＤＡ変換器、直交変復調器を備える。なお、受信用アンテナと送信用アンテナとを別個に設けてもよい。
【００４４】
セルサーチ部１３３は、ＲＦ部１３２から取得したベースバンド信号に基づいて、無線アクセスネットワークのサーチおよびセルサーチを行う。すなわち、セルサーチ部１３３は、取得した信号に対し、拡散コードの各候補を用いて逆拡散を行う。そして、逆拡散により得られる相関値から、接続可能な無線アクセスネットワークおよびセルを検出する。セルサーチ部１３３は、サーチ結果を制御部１１０に報告する。
【００４５】
逆拡散復調部１３４は、ＲＦ部１３２から取得したベースバンド信号に対し、所定の拡散コードまたは無線基地局３００から指定された拡散コードを用いて逆拡散を行う。そして、各パスのシンボルを抽出し、シンボルを同位相でＲＡＫＥ合成する。逆拡散復調部１３４は、ＲＡＫＥ合成後の復調信号を復号部１３５に出力する。
【００４６】
復号部１３５は、逆拡散復調部１３４から取得した復調信号を、所定の復号方式または無線基地局３００から指定された復号方式に従って誤り訂正復号する。そして、復号部１３５は、ユーザデータおよび報知情報を抽出し、制御部１１０に出力する。
【００４７】
符号化部１３６は、制御部１１０から取得したユーザを、所定の符号化方式または無線基地局３００から指定された符号化方式に従って誤り訂正符号化する。そして、符号化部１３６は、符号化信号を拡散変調部１３７に出力する。
【００４８】
拡散変調部１３７は、符号化部１３６から取得した符号化信号に対し、所定の拡散コードまたは無線基地局３００から指定された拡散コードを用いて拡散を行う。そして、拡散変調部１３７は、拡散後のベースバンド信号をＲＦ部１３２に出力する。
【００４９】
なお、無線通信部１２０も、無線通信部１３０と同様に、無線信号処理、セルサーチ、変調、符号化、復調、復号などの機能を有する。ただし、無線通信部１３０がＣＤＭＡ方式に従った処理を行うのに対し、無線通信部１２０はＴＤＭＡ方式に従った処理を行う。
【００５０】
図５は、報知情報のデータ構造例を示す図である。報知情報２１は、無線アクセスネットワーク２０で報知されている。例えば、無線基地局２００が、自局のセル全体に報知情報２１を送信している。報知情報２１には、識別情報および時刻情報が含まれる。
【００５１】
識別情報は、無線アクセスネットワーク２０を特定するための情報である。識別情報には、国番号（Country Code）と事業者番号（Network Code）とが含まれる。国番号は、国または地域を示す３桁の数値である。事業者番号は、国番号が示す国または地域内で、各無線アクセスネットワーク（または、通信事業者）に一意に割り当てられる２桁の数値である。国番号と事業者番号との組み合わせにより、各無線アクセスネットワークを一意に特定できる。なお、識別情報として、数字以外の文字を用いてもよい。
【００５２】
時刻情報は、現在の年月日および時分秒を示す。時刻情報が示す現在時刻は、世界標準時でもよいし、無線アクセスネットワーク２０が設置された場所の時刻でもよい。また、時刻情報に、世界標準時と現地時刻との時差の情報を含めてもよい。ただし、移動局１００は、国番号から時差を特定することも可能である。
【００５３】
無線アクセスネットワーク３０でも、報知情報２１と同様に識別情報を含む報知情報が報知されている。ただし、無線アクセスネットワーク３０の報知情報には、時刻情報が含まれていない。無線基地局２００，３００は、例えば、周期的に報知情報を送信する。ただし、不定期（例えば、何れかの移動局が新たに無線基地局２００，３００に接続した際）に、報知情報を送信することも可能である。
【００５４】
図６は、ネットワーク情報テーブルのデータ構造例を示す図である。ネットワーク情報テーブル１５１は、移動局１００の記憶部１５０に記憶されている。ネットワーク情報テーブル１５１は、国番号、事業者番号、種別および時刻情報を示す項目を含む。
【００５５】
国番号の項目には、報知情報に含まれる国番号、すなわち、国または地域を示す３桁の数値が設定される。事業者番号の項目には、報知情報に含まれる事業者番号、すなわち、各無線アクセスネットワーク（または、通信事業者）に割り当てられた２桁の数値が設定される。ただし、図６では「ＸＸ」などと表記している。種別の項目には、通信方式（例えば、ＧＳＭやＷ−ＣＤＭＡ）が設定される。時刻情報の項目には、時刻情報の確認結果が設定される。例えば、時刻情報を取得できた場合はＯＫ、取得できなかった場合はＮＧを設定する。
【００５６】
ネットワーク情報テーブル１５１は、制御部１１０によって適宜更新される。例えば、無線通信部１３０が国番号「４６６」、事業者番号「ＺＺ」の無線アクセスネットワークに接続し、制御部１１０が報知情報に時刻情報が含まれていないことを確認したとする。すると、国番号「４６６」、事業者番号「ＺＺ」、種別「Ｗ−ＣＤＭＡ」、時刻情報「ＮＧ」という情報が、ネットワーク情報テーブル１５１に登録される。このように、移動局１００は、無線アクセスネットワークに接続する毎に、時刻情報の取得可否を学習する。
【００５７】
なお、同一の無線アクセスネットワークについて、過去の確認結果と最新の確認結果とが異なる場合（例えば、前回がＮＧで今回がＯＫの場合）も考えられる。その場合、それまでの学習結果を修正して、最新の確認結果を反映させる。例えば、ネットワーク情報テーブル１５１の時刻情報の項目を上書き（例えば、ＮＧからＯＫに変更）する。または、確認回数を分母とし時刻情報を取得できた回数を分子として、取得確率を求めてもよい。これにより、無線アクセスネットワークの設計変更に柔軟に対応できる。
【００５８】
図７は、設定画面の例を示す図である。設定画面１６１は、移動局１００の表示部１６０に表示される。ユーザは、設定画面１６１の表示中に入力部１７０を操作することで、移動局１００の動作を変更することができる。設定画面１６１は、設定項目として、利用ネットワークの項目と時刻補正の項目とを含む。
【００５９】
利用ネットワークの項目では、サーチにより複数の無線アクセスネットワークが検出された場合に、何れの無線アクセスネットワークを利用してユーザデータを送受信するかの判断方法を設定する。ユーザは、ａ）自動判断、ｂ）Ｗ−ＣＤＭＡ優先、ｃ）ＧＳＭ優先から１つを選択する。ａ）自動判断は、通信品質が現在最も良好な無線アクセスネットワークを選択する方法である。ｂ）Ｗ−ＣＤＭＡ優先は、無線通信部１３０により接続可能な無線アクセスネットワークを優先する方法である。ｃ）ＧＳＭ優先は、無線通信部１２０により接続可能な無線アクセスネットワークを優先する方法である。
【００６０】
時刻補正の項目では、時計部１４０が管理する時刻を時刻情報に基づいて自動補正する方法を設定する。ユーザは、ａ）時刻補正優先、ｂ）通信開始優先、ｃ）ＯＦＦから１つを選択する。ａ）時刻補正優先は、時刻情報を受信して自動補正を行うことを優先する方法である。接続中の無線アクセスネットワークが時刻情報を報知していない場合は、接続先を一時的に切替えて、他の無線アクセスネットワークからの取得を試みる。ｂ）通信開始優先は、接続中の無線アクセスネットワークが時刻情報を報知している場合のみ自動補正を行う方法である。ｃ）ＯＦＦは、自動補正を行わない方法である。
【００６１】
なお、制御部１１０は、無線アクセスネットワークのサーチ結果や時刻情報の確認結果に応じて、設定画面１６１の選択項目を変えてもよい。例えば、Ｗ−ＣＤＭＡ方式の無線アクセスネットワークが検出されなかった場合、他の無線アクセスネットワークが検出されるまで、「Ｗ−ＣＤＭＡ優先」を選択不可にしてもよい。また、検出された何れの無線アクセスネットワークでも時刻情報が報知されていないことを確認すると、他の無線アクセスネットワークが検出されるまで、「時刻補正優先」を選択不可にしてもよい。
【００６２】
図８は、時刻補正の手順を示すフローチャートである。図８に示す処理は、移動局１００において繰り返し実行される。例えば、移動局１００の起動時に自動的に実行される。その後も、定期的、または、ユーザによる指示があった場合に実行される。以下、時刻補正の処理の詳細をフローチャートのステップ番号に沿って説明する。
【００６３】
［ステップＳ１１］制御部１１０は、無線通信部１２０，１３０にネットワークサーチを指示する。無線通信部１２０は、ＧＳＭ方式の無線アクセスネットワークをサーチし、無線通信部１３０は、Ｗ−ＣＤＭＡ方式の無線アクセスネットワークをサーチする。そして、無線通信部１２０，１３０は、サーチ結果を制御部１１０に報告する。なお、無線通信部１２０，１３０は、サーチを逐次行ってもよいし、並行して行ってもよい。
【００６４】
［ステップＳ１２］制御部１１０は、ステップＳ１１のサーチの結果、１つ以上の無線アクセスネットワークが検出されたか判断する。検出された場合、処理をステップＳ１３に進める。検出されなかった場合、処理をステップＳ１９に進める。
【００６５】
［ステップＳ１３］制御部１１０は、ステップＳ１１で検出された無線アクセスネットワークから、１つ以上の接続先候補を選択する。複数の接続先候補を選択した場合は、接続順序を決定すると共に、最終的にユーザデータの送受信に利用する無線アクセスネットワーク（利用ネットワーク）を１つ決定する。接続先候補の選択方法の詳細は後述する。
【００６６】
［ステップＳ１４］制御部１１０は、ステップＳ１３で選択した接続先候補のうち、未処理のもの、すなわち、以下のステップＳ１５，Ｓ１６の処理を行っていないものがあるか判断する。未処理のものがある場合、処理をステップＳ１５に進める。未処理のものがない場合、処理をステップＳ１９に進める。
【００６７】
［ステップＳ１５］制御部１１０は、未処理の接続先候補の中で最も優先順位が高いものを１つ選択し、無線通信部１２０または無線通信部１３０に接続を指示する。無線通信部１２０または無線通信部１３０は、接続確立の手続きを行う。接続確立では、接続先の無線アクセスネットワーク経由でコアネットワーク４０に対して制御メッセージが送信され、接続管理サーバ４００で移動局１００の認証および位置登録が行われる。
【００６８】
なお、無線通信部１２０または無線通信部１３０は、既に何れかの無線アクセスネットワークに接続している場合は、現在のコネクションを切断してから新たなコネクションを設定する。コネクション切断では、接続中の無線アクセスネットワーク経由でコアネットワーク４０に対して制御メッセージが送信され、接続管理サーバ４００で移動局１００の登録解除が行われる。
【００６９】
［ステップＳ１６］無線通信部１２０または無線通信部１３０は、ステップＳ１５で接続した無線アクセスネットワークの報知情報を受信する。制御部１１０は、取得した報知情報に時刻情報が含まれているか確認する。含まれている場合は、時刻情報を抽出する。また、取得した報知情報から、国番号および事業者番号を特定する。そして、時刻情報の確認結果、国番号、事業者番号および通信の種別を、記憶部１５０に格納されたネットワーク情報テーブル１５１に登録する。
【００７０】
［ステップＳ１７］制御部１１０は、ステップＳ１６で時刻情報を取得できたか、すなわち、報知情報に時刻情報が含まれていたか判断する。時刻情報を取得できた場合、処理をステップＳ１８に進める。取得できなかった場合、処理をステップＳ１４に進める。
【００７１】
［ステップＳ１８］制御部１１０は、ステップＳ１６で取得した時刻情報を用いて、時計部１４０が管理する時刻を補正する。例えば、時刻情報が示す現在時刻を、時計部１４０に設定する。その後、処理をステップＳ２０に進める。
【００７２】
［ステップＳ１９］制御部１１０は、何れの無線アクセスネットワークからも時刻情報を取得できないと判断し、ユーザに対して現在時刻の入力を促す。すなわち、現在時刻を入力するための操作画面を、表示部１６０に表示する。その後、ユーザが入力部１７０を用いて時刻を入力すると、制御部１１０は、入力された時刻を時計部１４０に設定する。
【００７３】
［ステップＳ２０］制御部１１０は、接続先の無線アクセスネットワークを、ステップＳ１３で決定した利用ネットワークに切替えるよう、無線通信部１２０，１３０を制御する。具体的には、接続中の無線アクセスネットワークと利用ネットワークとが同一である場合、現在のコネクションを維持する。一方、両者が異なる場合、現在のコネクションを切断してから利用ネットワークとのコネクションを設定する。
【００７４】
このようにして、移動局１００は、接続した無線アクセスネットワークが時刻情報を報知しているか否か確認する。時刻情報を報知していない場合、サーチで検出された他の無線アクセスネットワークに接続する。一方、時刻情報を報知している場合、取得した時刻情報を用いて内部時計の時刻を補正すると共に、接続先をユーザデータの送受信に利用する無線アクセスネットワークに切替える。ただし、前述の通り、ユーザは移動局１００が時刻の自動補正を行わないように設定することもできる。
【００７５】
なお、移動局１００は、前回自動補正を行ってから所定時間以上経過した場合のみ、時刻情報の確認および取得を行うようにしてもよい。また、ユーザが時刻を手動設定した後から時刻情報の受信に成功するまでの間、上記処理を繰り返し行うようにしてもよい。これは、デジタル著作権管理において、手動設定による時刻を使用できず、自動補正による時刻が要求される場合があることを考慮したものである。
【００７６】
図９は、接続先候補選択の手順を示すフローチャートである。図９に示す処理は、上記ステップＳ１３において実行される。以下、接続先候補選択の処理の詳細をフローチャートのステップ番号に沿って説明する。
【００７７】
［ステップＳ１３１］制御部１１０は、上記ステップＳ１１のサーチにより検出された無線アクセスネットワークから、ユーザデータの送受信に利用するもの（利用ネットワーク）を１つ選択する。選択方法は、移動局１００の設定により異なる。
【００７８】
例えば、「自動判断」の場合、通信方式にかかわらず通信品質が最も良好になるものを選択する。「Ｗ−ＣＤＭＡ優先」の場合、Ｗ−ＣＤＭＡ方式のものが検出されていればその中から選択し、検出されていなければ他の方式のものから選択する。「ＧＳＭ優先」の場合、ＧＳＭ方式のものが検出されていればその中から選択し、検出されていなければ他の方式のものから選択する。
【００７９】
［ステップＳ１３２］制御部１１０は、時刻補正の設定が「時刻補正優先」であるか判断する。「時刻補正優先」の場合、処理をステップＳ１３３に進める。それ以外の場合、処理をステップＳ１３４に進める。
【００８０】
［ステップＳ１３３］制御部１１０は、上記ステップＳ１１のサーチにより検出された全ての無線アクセスネットワークを、接続先候補として選択する。その後、処理をステップＳ１３５に進める。この場合、制御部１１０は、利用ネットワーク以外の無線アクセスネットワークから時刻情報を取得する可能性がある。
【００８１】
［ステップＳ１３４］制御部１１０は、ステップＳ１３１で決定した利用ネットワークのみを、接続先候補として選択する。その後、処理を上記ステップＳ１４に進める。この場合、制御部１１０は、利用ネットワークが時刻情報を報知していなくても、他の無線アクセスネットワークには接続しない。
【００８２】
［ステップＳ１３５］制御部１１０は、移動局１００が位置する現在の国または地域が判明しており、かつ、現在の国または地域についての情報が、記憶部１５０に格納されたネットワーク情報テーブル１５１に登録されているか判断する。上記条件を満たす場合、処理をステップＳ１３６に進める。上記条件を満たさない場合、処理をステップＳ１３７に進める。なお、移動局１００が起動した直後は、停止中に大きく移動した可能性があるので、現在の国または地域がわからない場合が多い。
【００８３】
［ステップＳ１３６］制御部１１０は、ネットワーク情報テーブル１５１から、現在の国または地域についての情報を抽出し、通信方式（例えば、ＧＳＭやＷ−ＣＤＭＡ）毎の時刻情報の取得可能性を判定する。そして、取得可能性に基づいて、ステップＳ１３３で選択した無線アクセスネットワークの接続順序を決定する。
【００８４】
例えば、取得確率が高い通信方式の接続先候補ほど高順位に設定する。通信方式が同じ接続先候補が複数存在する場合は、更に通信品質を考慮して順位を決定してもよい。ただし、利用ネットワークの取得確率が所定の閾値以上である場合は、利用ネットワークを第１位に設定してもよい。その後、処理を上記ステップＳ１４に進める。
【００８５】
［ステップＳ１３７］制御部１１０は、利用ネットワークを第１位に設定する。利用ネットワーク以外の接続先候補が存在する場合は、例えば、更に通信品質を考慮して第２位以下の順位を決定する。その後、処理を上記ステップＳ１４に進める。
【００８６】
このようにして、移動局１００は、時刻補正の設定が「時刻補正優先」の場合、検出された無線アクセスネットワークの何れかで時刻情報が報知されていれば、その時刻情報を取得して時刻を自動補正できる。その際、移動局１００は、過去の学習結果に基づいて、接続順序を決定する。すなわち、時刻情報を取得できる可能性の高い無線アクセスネットワークに優先的に接続することができる。これにより、コネクションの設定および切断のオーバーヘッドを抑制できる。
【００８７】
なお、上記説明では、国または地域毎および通信方式毎の時刻情報の取得可能性を学習することとしたが、国または地域を区別せずに、通信方式毎の取得可能性を学習するようにしてもよい。
【００８８】
図１０は、報知情報受信の手順を示すシーケンス図である。ここでは、移動局１００が無線アクセスネットワーク３０内の無線基地局３００と無線通信を行う場合を考える。以下、図１０に示すメッセージの流れをステップ番号に沿って説明する。
【００８９】
［ステップＳ２１］移動局１００は、無線基地局３００と無線信号の同期を取る。
［ステップＳ２２］移動局１００は、無線リンクの設定を無線基地局３００に要求する。無線基地局３００は、移動局１００との通信に用いる無線リンクを設定し、設定完了を移動局１００に通知する。これにより、移動局１００と無線基地局３００との間のコネクションが確立される。
【００９０】
［ステップＳ２３］移動局１００は、自局位置の登録を、無線基地局３００経由で接続管理サーバ４００に要求する。接続管理サーバ４００は、移動局１００を認証し、認証に成功すると、コアネットワーク４０内のデータベース（図示せず）に移動局１００の現在位置を登録する。そして、接続管理サーバ４００は、位置登録の完了を、無線基地局３００経由で移動局１００に通知する。
【００９１】
［ステップＳ２４］無線基地局３００は、報知情報を送信する。移動局１００は、無線基地局３００が送信した報知情報を受信する。このとき移動局１００が受信する報知情報は、無線基地局３００が定期的に送信するものでもよいし、移動局１００の接続および位置登録を契機として無線基地局３００が送信するものでもよい。
【００９２】
［ステップＳ２５］移動局１００は、ステップＳ２４で受信した報知情報に時刻情報が含まれているか確認する。そして、確認結果を、ネットワーク情報テーブル１５１に登録する。
【００９３】
［ステップＳ２６］移動局１００は、自局の登録解除を、無線基地局３００経由で接続管理サーバ４００に要求する。接続管理サーバ４００は、コアネットワーク４０内のデータベース（図示せず）から、移動局１００の登録情報を消去する。そして、接続管理サーバ４００は、登録解除の完了を、無線基地局３００経由で移動局１００に通知する。
【００９４】
［ステップＳ２７］移動局１００は、無線リンクの解除を無線基地局３００に要求する。無線基地局３００は、移動局１００との通信に用いる無線リンクを解除し、解除完了を移動局１００に通知する。これにより、移動局１００と無線基地局３００との間のコネクションが切断される。
【００９５】
このようにして、移動局１００は、無線アクセスネットワーク３０を接続先として選択すると、制御メッセージを送受信し、コネクション確立および位置登録の手続きを行う。そして、無線アクセスネットワーク３０の報知情報を受信し、時刻情報が報知されているか確認する。その後、移動局１００は、制御メッセージを送受信し、位置登録解除およびコネクション切断の手続きを行う。
【００９６】
図１１は、ネットワーク切替の例を示すシーケンス図である。ここでは、移動局１００が、時刻情報の取得可能性を未だ学習しておらず、利用ネットワークとして無線アクセスネットワーク３０を選択した場合を考える。以下、図１１に示す処理の流れをステップ番号に沿って説明する。なお、前述の通り、無線アクセスネットワーク２０は時刻情報を報知しており、無線アクセスネットワーク３０は時刻情報を報知していない。
【００９７】
［ステップＳ３１］移動局１００は、利用ネットワークである無線アクセスネットワーク３０を接続先として選択する。そして、無線アクセスネットワーク３０に対して、コネクション設定および位置登録の手続きを行う。
【００９８】
［ステップＳ３２］移動局１００は、無線アクセスネットワーク３０の報知情報を受信し、時刻情報の有無を確認する。その結果、時刻情報を取得できなかったことを知る。
［ステップＳ３３］移動局１００は、無線アクセスネットワーク３０に対して、位置登録解除およびコネクション切断の手続きを行う。
【００９９】
［ステップＳ３４］移動局１００は、利用ネットワークとは異なる無線アクセスネットワーク２０を次の接続先として選択する。そして、無線アクセスネットワーク２０に対して、コネクション設定および位置登録の手続きを行う。
【０１００】
［ステップＳ３５］移動局１００は、無線アクセスネットワーク２０の報知情報を受信し、時刻情報の有無を確認する。その結果、時刻情報を取得できたことを知る。
［ステップＳ３６］移動局１００は、接続中の無線アクセスネットワーク２０が利用ネットワークではないため、無線アクセスネットワーク２０に対して、位置登録解除およびコネクション切断の手続きを行う。
【０１０１】
［ステップＳ３７］移動局１００は、利用ネットワークである無線アクセスネットワーク３０を接続先として再度選択する。そして、無線アクセスネットワーク３０に対して、コネクション設定および位置登録の手続きを行う。
【０１０２】
このようにして、移動局１００は、利用ネットワークで時刻情報を取得できなかった場合、サーチで検出された他の無線アクセスに一時的に接続して時刻情報を取得する。その後、移動局１００は、接続先を利用ネットワークに戻す。
【０１０３】
図１２は、待ち受け画面の遷移例を示す図である。移動局１００を起動すると、表示部１６０には待ち受け画面１６２が表示される。待ち受け画面１６２は、内部時計の時刻が未設定であり、時刻情報の取得を試みていることを示している。すなわち、待ち受け画面１６２が表示されている間、移動局１００は、無線アクセスネットワークのサーチ、接続および時刻情報の確認を行っている。
【０１０４】
そして、移動局１００が時刻情報の取得に成功すると、表示部１６０には待ち受け画面１６３が表示される。待ち受け画面１６３は、内部時計の時刻が設定されたことを示している。一方、移動局１００が時刻情報の取得に失敗すると、表示部１６０には設定画面１６４が表示される。設定画面１６４は、ユーザが現在時刻の入力を求められていることを示している。ユーザが現在時刻を入力すると、内部時計に入力された時刻が設定される。その後、表示部１６０には待ち受け画面１６３が表示される。
【０１０５】
本実施の形態に係る移動通信システムによれば、移動局１００は、周辺の無線アクセスネットワーク２０，３０から柔軟に時刻情報を取得できる。すなわち、何れか１つの無線アクセスネットワークで時刻情報が報知されていれば、時刻情報を取得できる。その際、移動局１００は、何れの無線アクセス網で時刻情報が報知されているか予め知らなくてもよい。従って、時刻情報を報知している場合と報知していない場合の両方が存在する通信方式に対しても、柔軟に対応できる。
【０１０６】
また、移動局１００は、時刻情報を取得できる可能性の高い通信方式を継続的に学習することで、優先的に接続する無線アクセスネットワークを適切に判断し、サーチに要する時間を短縮することができる。特に、国または地域毎に学習を行うことで、国または地域特有の事情を考慮した適切な判断を行うことができる。
【符号の説明】
【０１０７】
１  無線通信装置
１ａ  無線通信部
１ｂ  制御部
２，３  無線アクセス網
２ａ，３ａ  報知情報
【図１】
2010268327.tif 000003
【図２】
2010268327.tif 000004
【図３】
2010268327.tif 000005
【図４】
2010268327.tif 000006
【図５】
2010268327.tif 000007
【図６】
2010268327.tif 000008
【図７】
2010268327.tif 000009
【図８】
2010268327.tif 000010
【図９】
2010268327.tif 000011
【図１０】
2010268327.tif 000012
【図１１】
2010268327.tif 000013
【図１２】
2010268327.tif 000014